(57)【要約】【課題】  力の要らない簡単な動作（「なでる」「あてる」等）で按摩ができ、身体への力の作用点が一点でしっかりとした按摩ができ、さらに肌あたりが優しく、身体の多部位に利用でき、携帯に便利で、維持管理がし易く、親しみ易い形状の、多様な力加減が可能な手動式兼体重利用型按摩器を提供する。【解決手段】  付属物の無い、表面の滑らかな「鶏卵型単体」の按摩器具。【選択図】図１
0003149224.tif 000002
【実用新案登録請求の範囲】
【請求項１】
付属物の無い、表面の滑らかな鶏卵型単体の按摩器。
【考案の詳細な説明】
【技術分野】
【０００１】  この考案は、鶏卵型単体あんま器に関するものである。
【背景技術】
【０００２】  従来、「按摩・指圧・マッサージ（以下、総称して按摩と表現する）」は、手や器具等で物理的に人体（通常筋肉や神経部分）に物理的刺激を与えることで、血流の改善を目的としたものである。
プロの按摩師等の人体（主に手）そのものによる物理的刺激を基本として、大型の電動マッサージ椅子・空気圧刺激利用マッサージ器具・電動振動式器具、・複数点の突起物による背中指圧器、古来よりの青竹踏み・多数の突起物による足裏刺激器具・小さなスリコギ状のつぼ指圧器具まで、物理的刺激を与える多種多様な方法や器具が氾濫している現状である。
それらの中でも手動式の按摩器具は力の要らない按摩方法として、球体状の物を身体上で転がすもしくは圧すために、球体状の物に柄・台座・多数の突起物のような何らかの付属物を装着するという製品ばかりである。
また自らの体重を利用する按摩器も多種見られるが足裏や背中など使用部分が身体の一部分に限定されるものが多く、体重を分圧したり、身体表面の痛覚刺激が強調されてしまう等、使用感に問題があるものが多い現状である。
とくに１個で頭部から足裏まで全身で利用できる形状の按摩器はこれまで無かった。
【考案の開示】
【考案が解決しようとする課題】
【０００３】  これまで、按摩を施す側は（自分自身でする場合も）、指先等にかなりの力が必要となり疲れるという欠点があった。される側も、指先による人為的な按摩方法は力の強弱が不安定であり、疲れる面が多々あった。また、人体のつぼなどに対する知識技術が少なからず必要であった。これらのことから、誰でもが、より簡単に的確に按摩でき、使用場所や時間を限定する必要の無い按摩ができる方法や器具が工夫されてきた。しかしこの工夫が按摩器具を複雑化し、利便性の一面だけが強調され、全体として逆に使い難いという欠点ともなっていった。
按摩の原点に帰り、『人の手のように、的確に、優しく、簡単に、全身を按摩できる、携帯に便利な万能型按摩器の形状を課題』として、以下細部の課題について述べる。
これまでの按摩器具には次の（イ）から（リ）ような欠点が多く見られた。
（イ）これまで、按摩器具は、特定の機能性を強調するあまり形が複雑となり逆に、筋肉への物理的刺激を「人の手のように」「的確に」「やさしく」行うという本来の単純な目的が曖昧になる欠点が多々見られた。身体への作用物本体に（主に球体曲面形状物）に「台座」「持え柄」「付属物」等を装着することは、使用方法を、手動式か体重利用式に限定してしまうという欠点となった。
『このことから、一固体で、手動式や体重利用式按摩器として兼用できる万能型按摩器具を課題とする。』
（ロ）これまでの機能の細分化と形状の複雑化は、手動型按摩器として逆に持ち難さや使い難さ、身体への刺激の不満足感となる欠点が多くみられた。
『とくに手動型按摩器の場合、「台座や持ち柄・付属物等」と「身体への作用物本体」が一体化し、手の平で握りやすく力の掛け易い大きさの一固体であることが課題となる。』
（ハ）さらに身体上を「転がす」という器具等は身体表面だけの刺激となる欠点が目立ち、身体をピンポイントで圧する工夫がなされた器具も数多く見られるが、圧する部位を探し当てるという面倒さが加わり、不満足感が多く残るという欠点があった。
もし「なでる」「あてる」「体重をかける」という最も簡単な動作でしっかりとした筋肉按摩ができれば、これにまさるものはない。
『このことから、何よりも一固体で手動式按摩器と体重利用式按摩器の両長所を備え、持ち易く、「あてる」「なでる」「体重をかける」という動作で筋肉刺激ができる形状の按摩器が課題となるのである。』
（二）代表的な体重利用型按摩器具としての多数の突起物利用の足裏指圧器や、身体に接地する部分に複数の突起物を付着した手動式按摩器等に見られるように、身体表面の痛覚刺激のほうが印象強い場合が多く、痛さばかりが目立つという欠点を持っているものが多かった。同時にこのことは、身体への接地点が多数になればなるほど（接地面積が広くなればなるほど）体重は分圧されるため、本来の目的である深い筋肉への按摩効果が弱まるという大きな欠点でもあった。
『このことから、体重利用式も手動式按摩器も共に、手の力や体重の作用力が集中する身体への接地点が一点型で、血流改善をすばやく的確に行う深い筋肉指圧が可能な形状が課題となる。』
（ホ）しかし、強い力が作用する一点接地型は当然ながら、痛さが伴うという欠点がある。この痛さを和らげ、肌あたりが優しく力や体重を掛けやすいという（二）項に相反する条件をも満たす形状が要求されるのである。
『このことから、身体表面の痛覚を刺激しない滑らかで緩やかな曲面形状でありながら身体への作用点が一点である形状が課題となる。』
（ヘ）さらに従来の手動式按摩器具類および体重利用式按摩器は身体への使用方法や身体の使用部位が限定されることが多く、多様に全身に使うことができず不便であり飽きやすかった欠点がある。
『このことから、多様な曲面を備えることで多様な力加減が出来、全身に多様に使える形状の按摩器を課題とする。』
（ト）これまでの複雑な形状の按摩器具は、利用する時間や場所を限定する結果となり、特に、大きさや形の複雑さの問題から携帯には不向きであるという欠点があった。
『このことから、コンパクトでシンプルな形状の携帯用按摩器が課題となる。』
（チ）そして視覚的にも「いかにも按摩器」という形状のものが多く、親しみ易さに欠け、人前では使い難いという欠点を持った形状のもの多かった。
『このことから、視覚的にも親しみやすく、リラックス感を感じさせる形状の按摩器が課題となる。』
（リ）また複雑な形状や、凸凹状の構造から汚れが溜まり易く壊れることもあり、維持管理がし難いという欠点を持つ道具が多かった。
『このことから、表面に凹凸の無い単純で丈夫な形状の、維持管理がし易い按摩器が課題となる。』
以上（イ）から（リ）項を解決するべき課題とした結果、『自他の身体ともに使用できる一個の道具で、簡単に、的確に、優しく按摩ができ、多様な力加減が簡単にでき、身体のあらゆる部位に広範囲に使え、あらゆる時空間で使え、さらに携帯や維持管理がし易く、親しみやすいシンプルでコンパクトな形状の手動式兼体重利用式按摩器が要求されるのである。』
本考案は、以上のような欠点をなくすためになされたものである。
【課題を解決するための手段】
【０００４】  付属物の無い、表面の滑らかな「鶏卵型単体」器具を提供する。
本考案は、以上の構成よりなる、鶏卵型単体あんま器である。
【考案の効果】
【０００５】  「付属物の無い滑らかな表面を持つ鶏卵型単体」は上記（イ）から（リ）項の課題を解決した形状の按摩器である。課題の解決と効果について具体的に次の（イ）から（リ）の９項に箇条書きにした。
（イ）持ち柄・台座等の付属物を排除（一体化）し、単純化した鶏卵型単体按摩器を提供することで手動式にも体重利用式にも使える万能型按摩器が可能となった。
（ロ）手動式按摩器として、握りやすく力を掛けやすい大きさの鶏卵型単体按摩器を提供することで、これまでにない使い易い按摩器が可能となった。
（ハ）滑らかで緩やかな曲面を持つ鶏卵型単体按摩器を提供することで、手動式按摩器として、「撫で易さ」「滑らせ易さ」等、身体上の動かし易さが際立ち、これまで以上に力の要らない按摩が可能となった。
（二）（手の力や体重圧を無駄なく身体の作用部に伝えることが出来る形状として）身体への接地点が常に一点である鶏卵型単体按摩器を提供することで、「てこの原理」や「作用・反作用の原理」を活かすことができ、簡単に力強い的確な按摩が可能となった。
（ホ）滑らかで緩やかな曲面を持つ鶏卵型単体按摩器を提供することで、按摩を受ける側が楽な肌あたりの優しい按摩が可能となった。
（ヘ）一固体全表面を無駄なく使うことが出来る「多様な曲面」を有した鶏卵型単体按摩器を提供することで、多様な力加減が可能となり、全身多様に使える高い利便性を可能にした。
（ト）シンプルでコンパクトな形状の鶏卵型単体按摩器を提供することで、使用時間や使用場所を特定しない携帯按摩器が可能となった。
（チ）按摩器と見えない鶏卵型単体按摩器を提供することで、より親しみ易くリラックス感豊かな按摩器となった。
（リ）単純な形状の鶏卵型単体按摩器を提供することで、壊れ難く、汚れが溜まり難く（取り易く）維持管理がし易い按摩器が可能となった。
さら効果について詳しく述べる。
（イ）これまで使用方法を限定する原因となっていた持ち柄や台座や付属物を排除（一体化）した鶏卵型単体按摩器は、一固体で手動式としても体重利用型按摩器としても利用でき、これまでに無い利便性を持った万能型按摩器である。
（ロ）付属物が無く表面が滑らかで緩やかな曲面を持つ鶏卵型単体按摩器は、他の形に比し、握った場合、手の平への接地面が広く安定感があり、最も手の力を作用させやすいシンプルな形状であるといえる。
手動式按摩器は、握り易さが使い易さの基本である。同容積の球体と比較すると、その握り易さの違いは明瞭である。
当然握るだけで手の平を指圧しながら握力を鍛えることも出来るので、リハビリの道具としても使える。
（ハ）鶏卵型単体按摩器の最大の特徴は、たまごを握り、「たまごの腹」といわれる曲面部分で身体を衣服の上から「なでる」ことで、たやすく的確に按摩できることにある。力をかける側にとって最も力や技術が要らない動作である。さらにその「撫で易さ」を可能にしているのが、「滑らかで緩やかな鶏卵型単体の『腹部』の曲面」である。同容積の球体の曲面と比すると摩擦が少なく滑らせやすい曲面であることが理解できる。
「なでる」という方法は、これまでのどの器具にも無い独特の簡単な利用方法である。転がすという動作とは全く異なる。同時に「なでる」という動作は、身体のつぼといわれる部分や筋肉を探さずとも、つぼや筋肉上を平均的な力で自然に刺激していることが多く、プロの按摩師の技術に匹敵する満足度が高い按摩効果を生むのである。
さらに厚手の衣服の上からでも「鶏卵型単体腹部でなでつける」ことでしっかりとした按摩ができるという優れた作用力を持っている。そして繊細な素肌部分などは同部を身体に「あてる」だけで、按摩効果が得られるのである。
また、年配者でも力や技術のいらない簡単な自らできる「なでる」動作で手軽に血流改善を可能にする。またとくに「なでる」という動作は、母親が子供の身体をなでるような優しさあふれる動作であること、古来よりの「手当て」に極めて近い感覚の動作であることも、使い易さを感じさせるものである。
（二）では何故、鶏卵型単体の腹部曲面による「なでる」・「あてる」・「体重をかける」という簡単な動作が「強い力」「安定した力」となり、しっかりとした按摩力となるのか。
それは、「鶏卵型単体」を平面に置いたときに判るように、面との接地点が、「常に」「一点」となり力の作用点となっていることにある。このことはとりもなおさず、「鶏卵型単体」の曲面が身体に接したとき、接地面の一点、すなわち、「てこの力」や「作用反作用の力」がこの一点に集中するため、簡単にしっかりとした按摩効果が得られるのである。同様の理由で身体への接地点を多数にしたり面積を広げたりすると分圧されてしまい、按摩効果は弱くなるのである。深い部分の筋肉按摩をも可能にするのが一点圧式按摩器なのである。
鶏卵型単体は全表面常に一点圧按摩を繰り返すが、「なでる」ことは、一点圧が途切れることなく「なでる」以上の強い力で安定して身体を刺激している状態であり、満足度が高い結果を生むのである。同時にこのことは、按摩する側が力が要らず簡単に按摩できることを意味する。
「あてる」「体重をかける」も全く同様の理由「一点圧」によってしっかりと按摩ができるのである。
（ホ）一点圧により想像以上の強い力が作用することは、受け手にとって逆に痛みを伴う結果となるはずである。
鶏卵型単体按摩器の、掛け手の視覚的にも優しい「なでる」動きに相反して、受け手への按摩効果が非常に高いことは前述したが、使用者の動きさながら、受け手もその肌あたりを非常に優しいと感じ、その二面性に皆驚きを感じる。
（３分間の「なでる」官能試用した３００人の内、「気持ちが良い」２４１人、「くすぐったい」２９人、「痛い」１２人、「気持が悪い」５人、「分からない」１３人、「身体が温かくなった」２０５人、「身体が軽くなった」１８７人であった結果からも、その使い心地の良さは確かである。）
このように「肌あたりの優しさ」と、「力の強さ」という相反する二面性を備えた形状の按摩器が、鶏卵型単体なのであるが、この優しい肌あたりは鶏卵型単体特有の「滑らかで緩やかな曲面『腹部曲面』」によるものである。
この滑らかで緩やかな曲面こそが、身体表面に集中する痛点への刺激を和らげ、摩擦による抵抗を弱め、「なでる」ことを簡単可能にしているのである。
体重をかける場合も同様に、緩やかな腹曲面のため、優しさが補われ、「痛い」で無く「痛い気持ち良い』と表現される按摩が可能となる。このことは、同容積の球体と比較すると、痛さの度合いが全く違うことが明瞭である。鶏卵型単体はは平面に置いたとき、常に緩やかな腹曲面が身体に接地するように位置されるので使用し易いという利点もある。
繰り返すが、手動式としても体重利用式按摩器としても「付属物の無い滑らかな表面を持つ鶏卵型単体」でなければならない最大の理由は「緩やかな曲面である腹部曲面」を有していることにある。
（ヘ）一固体の中に多様な力加減が出来る多様な曲面を備えることが最も按摩器として望ましいことであるが、多様な曲面を有した最もシンプルな形が鶏卵型単体なのである。
鶏卵型単体の「頭部曲面」・「腹部曲面」・「尻部曲面」等その多様な曲面が多様な力加減を可能にすると同時に、凹凸のある身体のあらゆる場所に適応できるのである。（球体単体と比較することでその力の多様性は明瞭である。）
さらに球体に近い単純な形状であることから、全表面を利用することができ、主たる利用方法「なでる」をはじめとして、「あてる」・「転がす」「体重を掛ける」等、さらにあらゆる力加減が出来るのである。
身体へのいくつかの使用方法を説明する。
（１）全身の筋肉部位を、衣服の上から、筋肉に沿って「鶏卵型単体の腹曲面」でなでることを基本とする。
（２）頭部は髪の毛を乱さず按摩ができる方法として、「鶏卵型単体の腹曲面」をあてるだけでよい。帽子の上からでもできるという利便性がある。
（３）素肌の顔面部（眼球以外）や頚部も「鶏卵型の腹曲面」をあてるだけでよい。耳下や「ぼんのくぼ」等、凹状部分は「鶏卵型の尻曲面」を使用。
（４）背中の手の届かない部分等は、寝具や椅子の背当て部と身体の間に鶏卵型単体を挟み、「鶏卵型腹曲面」に体重をかけて按摩することができる。
（５）特異な按摩方法として、椅子の座面に置き肛門部に「鶏卵型腹曲面」を当てて座ると肛門括約筋周辺部の筋肉を優しく刺激、血流改善ができ、通常できない部分の按摩が可能になる。
（６）さらに体重をかけて転がす方法で足裏按摩をも可能にする。
（７）つぼといわれる部分をピンポイントで強く刺激したい場合は「鶏卵型按摩器の頭部曲面や尻部曲面」を利用して圧すと簡単に指圧効果が得られる。
このように、「付属物の無い表面の滑らかな鶏卵型単体は、身体多部位への多様な利用方法があることに加え、そのコンパクトでシンプルな形状からく、持ち運びしやすく、場所をとらないので、時間や場所を選ばず使用できるという大きな利便性に繋がる。
（ト）バッグやポケットの中に簡単に入れられるので携帯用に大変便利であること、家庭でも職場でも簡単に使えること、座席の背あてや座面、寝具の中でも使えること、車中や狭い場所でも使えること、最近よく問題となるエコノミー症候群等の予防のための旅行用按摩器として最適なことなど、その時空間を限定しない利用法の多様性はこれまでにない利便性である。
（チ）按摩器としの数々の課題を解決した結果の形が、球体を変形させた「鶏卵型単体」となった。（野球のバットの力作用と最もシンプルな固体である球体の力作用を基本とした。）
『知らない人の無いたまごの形』、食べ物の鶏卵そのものであるような、見慣れた優しい形であるその鶏卵型単体按摩器を、一見して按摩・指圧の「道具」と理解する人は今日まで極めて少ない。
一般に、鶏卵型単体を按摩器といわれてはじめて、手の平で握って手の平指圧を思いつくか、卵形の尻の部分でつぼを押すことぐらいをせいぜい思い付く程度である。
想像外の鶏卵型単体で「なでる」を体感してはじめて、その按摩効果に皆驚きを感じる。感嘆の声をあげる人が少なくない。「卵で按摩」の意外性こそが人々に感動を生む。
さらに、食べ物として見慣れた優しい形であること、生命の原点を象徴するような形であることが、心身のリラックス感と共に、安心感をより高めるものである。視覚的に按摩器具として見えないこと、人前でも使い易いこと等と合わせ、これまでにない按摩器である。
（リ）さらには、凹凸の無いシンプルな形状ゆえ、汚れのたまりやすい部位が無く、壊れにくく、管理がし易いという点も大きな利点である。
【考案を実施するための最良の形態】
【０００６】  以下、本考案を実施するための最良の形態について説明する。
付属物の無い、表面の滑らかな鶏卵型単体の形態である按摩器である。
考案は、以上のような構造である。
鶏卵型単体按摩器は手動式按摩器と体重利用式按摩器の両特性を備え、簡単な動作で、全身体のつぼや筋肉に物理的刺激を、肌当たり優しく、簡単かつ的確に与えることができ、さらに携帯に便利で、維持管理がし易く、親しみやすい按摩道具である。
手動式按摩器として、なでて利用するときは、「鶏卵型単体」を手の平で握り、「腹曲面部」で着衣の上から身体の筋肉部位をなでて使用、もしくは、「鶏卵型単体の腹曲面部・頭曲面部・尻曲面部」で、軽く身体のつぼを圧して利用する。身体素肌部位の頭部や頚部等は、「鶏卵型単体腹曲面部」をあてて使用する。
体重利用型按摩器として利用するときは、「鶏卵型単体の腹曲面部」を、床・椅子の座席や背あて・寝具等に置き、身体の腰部・背中部等の筋肉部位にあて体重を掛けて使用する。
【図面の簡単な説明】
【０００７】  背面図、右側面図、左側面図は正面図と同一にあらわれる。
底面図は平面図と同一にあらわれる。
【図１】  本考案の鶏卵型単体正面図である。
【図２】  本考案の鶏卵型単体平面図である。
【図１】
0003149224.tif 000003
【図２】
0003149224.tif 000004